(57)【要約】【課題】  コストを低減するとともに、ユーザの待ち時間を短くする。【解決手段】  ＭＦＰは、コピー機能およびスキャン機能に対応するスキャン用ＨＤＤ８１、プリント機能に対応するプリント用ＨＤＤ８２およびファクシミリ送受信機能に対応するファクシミリ用ＨＤＤ８３と、複数の機能のいずれか１つを能動化させるための操作を検出する駆動操作検出部１５２と、駆動操作検出部１５２により操作が検出されることに応じて、スキャン用ＨＤＤ８１、プリント用ＨＤＤ８２およびファクシミリ用ＨＤＤ８３を異なるタイミングで順に起動する駆動制御部１５３と、を備え、駆動制御部１５３は、検出された操作に基づいてスキャン用ＨＤＤ８１、プリント用ＨＤＤ８２およびファクシミリ用ＨＤＤ８３のうちから最初に起動するＨＤＤを決定する。【選択図】        図４
2008141343.tif 000002
【特許請求の範囲】
【請求項１】
複数の機能各々に対応して設けられ、データを記憶する複数の記憶装置と、
前記複数の機能のいずれか１つを能動化させるための操作を検出する検出手段と、
前記検出手段により前記操作が検出されることに応じて、前記複数の記憶装置を異なるタイミングで順に起動する制御手段と、を備え、
前記制御手段は、前記検出された操作に基づいて前記複数の記憶装置のうちから最初に起動する記憶装置を決定する決定手段を含む、画像形成装置。
【請求項２】
前記複数の機能は、原稿を読み取って画像データを記憶するスキャン機能を含み、
前記検出手段は、操作者による操作の入力を受け付ける操作受付手段を含み、
前記決定手段は、前記操作受付手段に操作が入力されることに応じて、前記複数の記憶装置のうち前記スキャン機能に対応する記憶装置を最初に起動する記憶装置に決定する、請求項１に記載の画像形成装置。
【請求項３】
前記複数の機能は、原稿を読み取って画像データを記憶するスキャン機能を含み、
前記検出手段は、原稿を搬送する原稿搬送手段に原稿がセットされたことを検出する原稿検出手段を含み、
前記決定手段は、前記原稿検出手段により原稿が検出されることに応じて、前記複数の記憶装置のうち前記スキャン機能に対応する記憶装置を最初に起動する記憶装置に決定する、請求項１に記載の画像形成装置。
【請求項４】
前記複数の機能は、原稿を読み取って画像データを記憶するスキャン機能を含み、
前記検出手段は、原稿読み取り時に原稿を抑えて固定するための固定蓋の開閉を検出する開閉検出手段を含み、
前記決定手段は、前記開閉検出により前記固定蓋の開が検出されることに応じて、前記複数の記憶装置のうち前記スキャン機能に対応する記憶装置を最初に起動する記憶装置に決定する、請求項１に記載の画像形成装置。
【請求項５】
前記複数の機能は、画像データに基づいて画像を形成するプリント機能を含み、
前記検出手段は、プリント指示を受け付けるプリント指示受付手段を含み、
前記決定手段は、前記プリント指示受付手段によりプリント指示が受け付けられることに応じて、前記複数の記憶装置のうち前記プリント機能に対応する記憶装置を最初に起動する記憶装置に決定する、請求項１に記載の画像形成装置。
【請求項６】
前記複数の機能は、画像データに基づいて画像を形成するプリント機能を含み、
前記検出手段は、画像を形成する画像形成手段が備える扉の開閉を検出する開閉検出手段を含み、
前記決定手段は、前記開閉検出により前記扉の開が検出されることに応じて、前記複数の記憶装置のうち前記プリント機能に対応する記憶装置を最初に起動する記憶装置に決定する、請求項１に記載の画像形成装置。
【請求項７】
前記複数の機能は、ファクシミリデータを送受信するファクシミリ機能を含み、
前記検出手段は、ファクシミリデータを受信するファクシミリデータ受信手段を含み、
前記決定手段は、前記ファクシミリデータ受信手段によりファクシミリデータが受信されることに応じて、前記複数の記憶装置のうち前記ファクシミリ機能に対応する記憶装置を最初に起動する記憶装置に決定する、請求項１に記載の画像形成装置。
【発明の詳細な説明】
【技術分野】
【０００１】
この発明は、画像処理装置に関し、特に複数の記憶装置を備えた画像形成装置に関する。
【背景技術】
【０００２】
近年、ファクシミリ送受信機能、プリント機能、スキャナ機能およびコピー機能などの複数の機能を備えたＭＦＰ（Ｍｕｌｔｉ  Ｆｕｎｃｔｉｏｎ  Ｐｅｒｉｆｅｒａｌ）で代表される画像形成装置が流通している。このＭＦＰは、処理する画像データを記憶するために大容量の記憶装置としてハードディスクドライブ（以下、「ＨＤＤ」という）を備えている。最近では、ＨＤＤの記憶容量１ＭＢ当たりのコストも下がってきており、ＭＦＰにおいても複数のＨＤＤを搭載できる環境が整いつつある。
【０００３】
一般的に、ＨＤＤは、電源投入直後に起動し、駆動モータによって内蔵ディスクの回転を開始し、その回転が安定した後、データのリード動作／ライト動作を受け付ける。駆動モータは起動時には、定速回転時に実行されるリード動作／ライト動作の約２倍の突入電流（２．５インチＨＤＤで約１Ａ）が流れる。このため、ＨＤＤ用の電源ユニットは、複数のＨＤＤを同時に立ち上げた場合に必要とされる突入電流を賄える容量で設計され、定格の大きな電子部品で構成れるためにコストアップを招く。また、ＨＤＤは通電中に複数の動作モードで駆動する。動作モードは、通常動作モードと、省電力を達成するためのスリープモードとである。通常動作モードでは、ディスクが回転中にヘッドはディスク上に存在し、外部インターフェースが動作中となり、消費電量が複数の動作モードのうちで最も高い。しかしながら、スリープモードでは駆動モータが停止しているので、スリープモードから通常動作モードに復帰する場合にも、電源投入時と同じく突入電流が流れる。
【０００４】
この問題を解決するために、特開２００２−１３５９７４号公報（特許文献１）では、複数のＨＤＤへの電源投入タイミングを順次ずらすことによって突入電流の重畳を防止し、ＨＤＤへ電源供給する電源ユニットの容量を小さくする技術が記載されている。しかしながら、起動されるＨＤＤの順番が予め定まっているため、すべてのＨＤＤを起動するのに時間がかかるといった問題がある。たとえば、最後に起動されたＨＤＤを使用する場合には、すべてのＨＤＤが起動した後でなければ使用することができない。
【特許文献１】特開２００２−１３５９７４号公報
【発明の開示】
【発明が解決しようとする課題】
【０００５】
この発明は上述した問題点を解決するためになされたもので、この発明の目的の一つは、コストを低減するとともに、ユーザの待ち時間を短くした画像形成装置を提供することである。
【課題を解決するための手段】
【０００６】
上述した目的を達成するために、この発明のある局面によれば、画像形成装置は、複数の機能各々に対応して設けられ、データを記憶する複数の記憶装置と、複数の機能のいずれか１つを能動化させるための操作を検出する検出手段と、検出手段により操作が検出されることに応じて、複数の記憶装置を異なるタイミングで順に起動する制御手段と、を備え、制御手段は、検出された操作に基づいて複数の記憶装置のうちから最初に起動する記憶装置を決定する決定手段を含む。
【０００７】
この局面に従えば、複数の記憶装置を異なるタイミングで順に起動するので、突入電流を低くすることができ、製造コストを低くすることができる。また、複数の機能のいずれか１つを能動化させるための操作が検出されると、検出された操作に基づいて複数の記憶装置のうちから最初に起動する記憶装置が決定される。このため、ユーザによる操作で能動化される機能に対応する記憶装置が最初に起動されるので、ユーザの待ち時間を少なくした画像形成装置を提供することができる。その結果、コストを低減するとともに、ユーザの待ち時間を短くした画像形成装置を提供することができる。
【０００８】
好ましくは、複数の機能は、原稿を読み取って画像データを記憶するスキャン機能を含み、検出手段は、操作者による操作の入力を受け付ける操作受付手段を含み、決定手段は、操作受付手段に操作が入力されることに応じて、複数の記憶装置のうちスキャン機能に対応する記憶装置を最初に起動する記憶装置に決定する。
【０００９】
好ましくは、複数の機能は、原稿を読み取って画像データを記憶するスキャン機能を含み、検出手段は、原稿を搬送する原稿搬送手段に原稿がセットされたことを検出する原稿検出手段を含み、決定手段は、原稿検出手段により原稿が検出されることに応じて、複数の記憶装置のうちスキャン機能に対応する記憶装置を最初に起動する記憶装置に決定する。
【００１０】
好ましくは、複数の機能は、原稿を読み取って画像データを記憶するスキャン機能を含み、検出手段は、原稿読み取り時に原稿を抑えて固定するための固定蓋の開閉を検出する開閉検出手段を含み、決定手段は、開閉検出により固定蓋の開が検出されることに応じて、複数の記憶装置のうちスキャン機能に対応する記憶装置を最初に起動する記憶装置に決定する。
【００１１】
好ましくは、複数の機能は、画像データに基づいて画像を形成するプリント機能を含み、検出手段は、プリント指示を受け付けるプリント指示受付手段を含み、決定手段は、プリント指示受付手段によりプリント指示が受け付けられることに応じて、複数の記憶装置のうちプリント機能に対応する記憶装置を最初に起動する記憶装置に決定する。
【００１２】
好ましくは、複数の機能は、画像データに基づいて画像を形成するプリント機能を含み、検出手段は、画像を形成する画像形成手段が備える扉の開閉を検出する開閉検出手段を含み、決定手段は、開閉検出により扉の開が検出されることに応じて、複数の記憶装置のうちプリント機能に対応する記憶装置を最初に起動する記憶装置に決定する。
【００１３】
好ましくは、複数の機能は、ファクシミリデータを送受信するファクシミリ機能を含み、検出手段は、ファクシミリデータを受信するファクシミリデータ受信手段を含み、決定手段は、ファクシミリデータ受信手段によりファクシミリデータが受信されることに応じて、複数の記憶装置のうちファクシミリ機能に対応する記憶装置を最初に起動する記憶装置に決定する。
【発明を実施するための最良の形態】
【００１４】
以下、本発明の実施の形態について図面を参照して説明する。以下の説明では同一の部品には同一の符号を付してある。それらの名称および機能も同じである。したがってそれらについての詳細な説明は繰返さない。
【００１５】
図１は、本発明の実施の形態の一つにおける画像形成システムの全体概要を示す図である。図１を参照して、画像形成システム１は、ネットワーク２にそれぞれ接続された画像形成装置としてのＭＦＰ１００と、コンピュータ３，３Ａ，３Ｂ，３Ｃと、それぞれがＭＦＰ１００に接続されるデジタルカメラ４と、デジタルビデオカメラ５と、携帯情報端末６とを含む。
【００１６】
ＭＦＰ（Ｍｕｌｔｉ  Ｆｕｎｃｔｉｏｎ  Ｐｅｒｉｐｈｅｒａｌ）１００は、原稿を読取るためのスキャナ、画像データに基づいて紙などの記録媒体に画像を形成するための画像形成部、ファクシミリを含み、画像読取機能、複写機能、ファクシミリ送受信機能を備えている。
【００１７】
コンピュータ３，３Ａ，３Ｂ，３Ｃは、一般的なパーソナルコンピュータであり、ＭＦＰ１００を制御するためのプリンタドライバプログラムがインストールされている。デジタルカメラ４およびデジタルビデオカメラ５は、撮像した静止画像または動画像を記憶し、それらが接続されたＭＦＰ１００に静止画像または動画像の画像データを出力する。ＭＦＰ１００は、入力される静止画像に基づき用紙等の記録媒体に画像を形成する。また、動画像の画像データが入力される場合、１フレームの画像に基づき記録媒体に画像を形成する。携帯情報端末６は、コンピュータ３，３Ａ，３Ｂ，３Ｃと同様に、それが実行するアプリケーションプログラムが生成するデータまたは画像データを、ＭＦＰ１００に出力する。ＭＦＰ１００は、携帯情報端末６から入力されるデータまたは画像データに基づいて、記録媒体に画像を形成する。
【００１８】
ネットワーク２は、ローカルエリアネットワーク（ＬＡＮ）であり、接続形態は有線または無線を問わない。またネットワーク２は、ＬＡＮに限らず、ワイドエリアネットワーク（ＷＡＮ）、インターネット等であってもよい。
【００１９】
図２は、ＭＦＰの外観を示す斜視図である。図３は、ＭＦＰの内部構成を示す模式的断面図である。図２および図３を参照して、画像形成装置としてのＭＦＰ１００は、自動原稿搬送装置（ＡＤＦ）１０と、画像読取部２０と、画像形成部３０と、給紙部５０と、メイン回路１０１と、スキャン用ＨＤＤ８１と、プリント用ＨＤＤ８２と、ファクシミリ用ＨＤＤ８３と、を含む。ＡＤＦ１０は、原稿台１１に搭載された複数枚の原稿をさばいて１枚ずつ順に、画像読取部２０に搬送する。ＡＤＦ１０は、一般的なトグルスイッチからなる原稿検出センサ１２を備えており、原稿検出センサ１２は、原稿台１１に原稿が搭載されると、その原稿を検出してオンとなり、原稿台１１に原稿が存在しなければオフとなる。また、ＡＤＦ１０は、画像読取部２０の原稿ガラス２１が露出する開状態と、画像読取部２０の原稿ガラス２１を覆い、原稿を固定する閉状態とに開閉自在である。ＡＤＦ１０は、一般的なトグルスイッチからなる開閉センサ１３を備えており、開閉センサ１３は、ＡＤＦ１０が開状態にあるときにオンとなり、ＡＤＦ１０が閉状態にあるときにオフとなる。
【００２０】
画像読取部２０は、原稿ガラス２１上にセットされた原稿の画像が、その下方を移動するスライダ２２に取付けられた露光ランプ２３により露光される。原稿からの反射光は、ミラー２４と２枚の反射ミラー２５，２５Ａによりレンズ２６に導かれ、ＣＣＤ（Ｃｈａｒｇｅ  Ｃｏｕｐｌｅｄ  Ｄｅｖｉｃｅｓ）センサ２８に結像する。露光ランプ２３とミラー２４とは、スライダ２２に取付けられており、スライダ２２は、スキャナモータ２７により、図中に示す矢印方向（副走査方向）へ複写倍率に応じた速度Ｖで移動する。これにより、原稿ガラス２１上にセットされた原稿を全面にわたって走査することができる。また、露光ランプ２３とミラー２４の移動に伴い、２枚の反射ミラー２５，２５Ａは、速度Ｖ／２で図中矢印方向へ移動する。これにより、露光ランプ２３で原稿に照射された光が、原稿で反射してからＣＣＤセンサ２８に結像するまでの光路長が常に一定となる。
【００２１】
ＣＣＤセンサ２８に結像した反射光は、ＣＣＤセンサ２８内で電気信号としての画像データに変換され、メイン回路１０１に送られる。メイン回路１０１では、受取ったアナログの画像データにＡ／Ｄ変換処理、デジタル画像処理等を行なった後、メイン回路１０１に出力する。メイン回路１０１は、画像データを、シアン（Ｃ）、マゼンタ（Ｍ）、イエロー（Ｙ）、ブラック（Ｋ）の印字用データに変換し、画像形成部３０へ出力する。
【００２２】
画像形成部３０は、前扉４９を備え、前扉４９が開放されると、画像形成部３０が外部に露出し、画像形成部３０が外部から視認可能となる。画像形成部３０は、扉開閉センサ３６を備えており、扉開閉センサ３６は、前扉４９が開状態にあるときにオンとなり、前扉４９が閉状態にあるときにオフとなる。
【００２３】
画像形成部３０は、イエロー、マゼンタ、シアンおよびブラックそれぞれの画像形成ユニット４０Ｙ，４０Ｍ，４０Ｃ，４０Ｋを備える。画像形成ユニット４０Ｙ，４０Ｍ，４０Ｃ，４０Ｋの少なくとも１つが駆動して、画像が形成される。画像形成ユニット４０Ｙ，４０Ｍ，４０Ｃ，４０Ｋのすべてが駆動すると、フルカラーの画像を形成する。画像形成ユニット４０Ｙ，４０Ｍ，４０Ｃ，４０Ｋには、イエロー、マゼンタ、シアンおよびブラックの印字用データがそれぞれ入力される。画像形成ユニット４０Ｙ，４０Ｍ，４０Ｃ，４０Ｋは、取扱うトナーの色彩が異なるのみなので、ここでは、イエローの画像を形成するための画像形成ユニット４０Ｙについて説明する。なお、画像形成ユニット４０Ｙ，４０Ｍ，４０Ｃ，４０Ｋは、それぞれ一体的に構成され、ＭＦＰ１００に着脱可能となっている。
【００２４】
画像形成ユニット４０Ｙは、イエローの印字用データが入力される露光ヘッド４１Ｙと、感光体ドラム４３Ｙと、帯電チャージャ４２Ｙと、現像機４４Ｙと、転写チャージャ４５Ｙとを備える。露光ヘッド４１Ｙは、受取った印字用データ（電気信号）に応じてレーザ光を発光する。発光されたレーザ光は露光ヘッド４１Ｙが備えるポリゴンミラーにより１次元走査され、感光体ドラム４３Ｙを露光する。感光体ドラム４３Ｙを１次元走査する方向は、主走査方向である。
【００２５】
感光体ドラム４３Ｙは、帯電チャージャ４２Ｙによって帯電された後、露光ヘッド４１Ｙが発光するレーザ光が照射される。これにより、感光体ドラム４３Ｙに静電潜像が形成される。続いて、現像機４４Ｙにより、静電潜像上にトナーが載せられてトナー像が形成される。感光体ドラム４３Ｙ上に形成されたトナー像は、無端ベルト３１上に、転写チャージャ４５Ｙにより転写される。
【００２６】
一方、無端ベルト３１は、駆動ローラ３３Ｃとローラ３３Ａ，３３Ｂとにより弛まないように懸架されている。駆動ローラ３３Ｃが図中で反時計回りに回転すると、無端ベルト３１が所定の速度で図中反時計回りに回転する。無端ベルト３１の回転に伴って、各ローラ３３Ａ，３３Ｂが、反時計回りに回転する。
【００２７】
これにより、画像形成ユニット４０Ｙ、４０Ｍ，４０Ｃ，４０Ｋが、順に無端ベルト上にトナー像を転写する。画像形成ユニット４０Ｙ、４０Ｍ，４０Ｃ，４０Ｋそれぞれが、無端ベルト３１上にトナー像を転写するタイミングは、無端ベルト３１に付された基準マークを検出することにより、調整される。これにより、イエロー、マゼンタ、シアンおよびブラックのトナー像が無端ベルト３１上に重畳される。
【００２８】
給紙カセット５１，５１Ａ，５１Ｂには、それぞれサイズの異なる用紙がセットされている。所望のサイズの用紙が、給紙カセット５１，５１Ａ，５１Ｂに取付けられている給紙ローラ５２，５２Ａ，５２Ｂにより、搬送路へ供給される。搬送路へ供給された用紙は、搬送ローラ対５３によりタイミングローラ５４へ送られる。
【００２９】
無端ベルト３１の基準マークを検出するためのタイミングセンサが設置されており、タイミングセンサが無端ベルト３１の基準マークを検出すると、それに同期してタイミングローラ５４が用紙を無端ベルト３１に供給する。用紙は、転写ローラ３７により無端ベルト３１に押し当てられ、無端ベルト３１上に重畳して形成されたイエロー、マゼンタ、シアン、ブラックのトナー像が用紙に転写される。
【００３０】
トナー像が転写された用紙は、定着ローラ対３８に搬送され、定着ローラ対３８により加熱される。これにより、トナーが溶かされて用紙に定着する。その後、用紙は排紙トレイ３９に排出される。なお、ここでは、用紙に４色のトナーそれぞれを形成する画像形成ユニット４０Ｙ、４０Ｍ，４０Ｃ，４０Ｋを備えたタンデム方式のＭＦＰ１００について説明するが、１つの感光体ドラムで４色のトナーを順に用紙に転写する４サイクル方式のデジタル複写機であってもよい。
【００３１】
図４は、ＭＦＰのハード構成の一例を示すブロック図である。図４を参照して、ＭＦＰ１００は、メイン回路１０１と、ファクシミリ部６０と、通信制御部６１と、ＡＤＦ１０と、画像読取部２０と、画像形成部３０と、給紙部５０とを含む。メイン回路１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、ＣＰＵ１１１が実行するプログラム等を記憶するためのＲＯＭ（Ｒｅａｄ  Ｏｎｌｙ  Ｍｅｍｏｒｙ）１１３と、表示部１１４と、操作部１１５と、データ通信制御部１１６と、スキャン用ＨＤＤ８１に供給する電力を制御する第１電源制御部１２１と、プリント用ＨＤＤ８２に供給する電力を制御する第２電源制御部１２２と、ファクシミリ用ＨＤＤ８３に供給する電力を制御する第３電源制御部１２３と、を含む。ＣＰＵ１１１は、表示部１１４、操作部１１５、データ通信制御部１１６、第１〜第３電源制御部１２１，１２２，１２３とそれぞれ接続され、メイン回路１０１の全体を制御する。また、ＣＰＵ１１１は、ファクシミリ部６０、通信制御部６１、ＡＤＦ１０、画像読取部２０、画像形成部３０、給紙部５０、スキャン用ＨＤＤ８１、プリント用ＨＤＤ８２およびファクシミリ用ＨＤＤ８３と接続され、ＭＦＰ１００の全体を制御する。
【００３２】
表示部１１４は、液晶表示装置（ＬＣＤ）、有機ＥＬＤ（Ｅｌｅｃｔｒｏ  Ｌｕｍｉｎｅｓｃｅｎｃｅ Ｄｉｓｐｌａｙ）等の表示装置であり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、表示部１１４上に設けられたタッチパネルを含む。表示部１１４と操作部１１５とで、操作パネル９が構成される。
【００３３】
データ通信制御部１１６は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで通信するためのインターフェースであるＬＡＮ端子１１８と、シリアル通信インターフェースであるＵＳＢ（Ｕｎｉｖｅｒｓａｌ  Ｓｅｒｉａｌ  Ｂｕｓ）端子１１９とを有する。データ通信制御部１１６は、ＣＰＵ１１１からの指示に従って、ＬＡＮ端子１１８またはＵＳＢ端子１１９に接続された外部の機器との間でデータを送受信する。
【００３４】
ＬＡＮ端子１１８に、ＬＡＮ２に接続するためのＬＡＮケーブルが接続される場合、データ通信制御部１１６は、ＬＡＮ端子１１８を介して接続された他のＭＦＰ、プリンタ、またはコンピュータ３，３Ａ，３Ｂ，３Ｃと通信する。ＵＳＢ端子１１９に機器が接続された場合、データ通信制御部１１６は、ＵＳＢ端子１１９に接続された機器、例えば、デジタルカメラ４、デジタルビデオカメラ５または携帯情報端末６との間で通信してデータを入出力する。また、ＵＳＢ端子１１９には、フラッシュメモリを内蔵したＵＳＢメモリ１１９Ａが接続可能である。ＣＰＵ１１１は、データ通信制御部１１６を制御して、ＵＳＢメモリ１１９ＡからＣＰＵ１１１が実行するためのプログラムを読出し、読み出したプログラムをＲＡＭ１１２に記憶し、実行する。
【００３５】
なお、ＣＰＵ１１１が実行するためのプログラムを記憶する記録媒体としては、ＵＳＢメモリ１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。さらに、ＣＰＵ１１１がインターネットに接続されたコンピュータからプログラムをダウンロードしてスキャン用ＨＤＤ８１、プリント用ＨＤＤ８２およびファクシミリ用ＨＤＤ８３のいずれかに記憶する、または、インターネットに接続されたコンピュータが画像データ記憶プログラムをスキャン用ＨＤＤ８１、プリント用ＨＤＤ８２およびファクシミリ用ＨＤＤ８３のいずれかに書込みするようにして、スキャン用ＨＤＤ８１、プリント用ＨＤＤ８２およびファクシミリ用ＨＤＤ８３のいずれかに記憶されたプログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００３６】
通信制御部６１は、ＣＰＵ１１１をＰＳＴＮ７に接続するためのモデムである。ＭＦＰ１００には、ＰＳＴＮ７における電話番号が予め割り当てられており、ＰＳＴＮ７に接続されたファクシミリ装置からＭＦＰ１００に割り当てられた電話番号に発呼があると、通信制御部６１がその発呼を検出する。通信制御部６１は、発呼を検出すると通話を確立し、ファクシミリ部６０に通信させる。
【００３７】
ファクシミリ部６０は、ＰＳＴＮ７に接続され、ＰＳＴＮ７にファクシミリデータを送信する、またはＰＳＴＮ７からファクシミリデータを受信する。ファクシミリ部６０は、受信したファクシミリデータを、画像形成部３０でプリント可能なプリントデータに変換して、画像形成部３０に出力する。これにより、画像形成部３０は、ファクシミリ部６０により受信されたファクシミリデータを記録シートにプリントする、または、ファクシミリ用ＨＤＤ８３に記憶する。また、ファクシミリ部６０は、ファクシミリ用ＨＤＤ８３に記憶されたデータをファクシミリデータに変換して、ＰＳＴＮ７に接続されたファクシミリ装置または他のＭＦＰに出力する。これにより、ファクシミリ用ＨＤＤ８３に記憶されたデータをファクシミリ装置または他のＭＦＰに出力することができる。なお、ファクシミリデータは画像データに含まれる。
【００３８】
このように、ＭＦＰ１００は、ファクシミリ送受信機能を有する。また、ＭＦＰ１００は、スキャナ機能を有し、画像読取部２０が原稿を読み取って出力する画像データをスキャン用ＨＤＤ８１に記憶する。また、画像形成部３０は、画像読取部２０が原稿を読み取って出力する画像データに基づいて、用紙等の記録シート上に画像を形成する。このため、ＭＦＰ１００は、コピー機能を有する。ＭＦＰ１００は、コピー機能が能動化され、画像読取部２０が原稿を読み取って出力する画像データをスキャン用ＨＤＤ８１に記憶する。さらに、画像形成部３０は、データ通信制御部１１６がＬＡＮ２に接続された他のＰＣ３、３Ａ，３Ｂ，３Ｃのいずれかから受信したプリントデータに基づいて、用紙等の記録シート上に画像を形成する。このため、ＭＦＰ１００は、プリント機能を有する。ＭＦＰ１００は、プリント機能が能動化され、ＰＣ３、３Ａ，３Ｂ，３Ｃのいずれかから受信したプリントデータをプリント用ＨＤＤ８２に記憶する。
【００３９】
ＣＰＵ１１１は、モード切換部１５１と、起動操作検出部１５２と、駆動制御部１５３とを含む。モード切換部１５１は、ＭＦＰ１００の動作モードを複数の動作モードのいずれかに切り換える。複数の動作モードは、通常動作モードおよびスリープモードである。なお、ここでは複数の動作モードを２種類としたが、これより多くの動作モードに切り換えるようにしても良い。モード切換部１５１が動作モードを切り換えると、ＭＦＰ１００は切り換えられた動作モードに設定される。ＭＦＰ１００は、モード切換部１５１が動作モードを通常動作モードに切り換えると通常動作モードに設定され、ファクシミリ送受信機能、プリント機能、スキャナ機能およびコピー機能の各機能を直ちに実行することができるように、各負荷に電力を供給した状態となる。ＭＦＰ１００は、モード切換部１５１が動作モードをスリープモードに切り換えるとスリープモードに設定され、動作を維持するのが必要とされる負荷にのみ電力を供給する。モード切換部１５１は、ＭＦＰ１００に電源が投入されると動作モードを通常動作モードに切り換える。そして、モード切換部１５１は、通常動作モードに切り換えている状態で所定期間操作がないことを検出すると、または、副電源スイッチの押下を検出すると、動作モードをスリープモードに切り換える。副電源スイッチは、ユーザがＭＦＰ１００をスリープモードに切り換える指示を入力させるためのスイッチである。また、モード切換部１５１は、動作モードをスリープモードに切り換えている状態で、起動操作検出部１５２から動作モード切換信号が入力されると、通常動作モードに切り換える。
【００４０】
起動操作検出部１５２は、（１）操作部１１５に対する操作の入力を検出した時、（２）原稿台１１に原稿がセットされた時、（３）ＡＤＦが閉状態から開状態に変化した時、（３）前扉４９が開状態に変化した時、（４）ファクシミリ部６０がファクシミリデータを受信した時、または（５）データ通信制御部１１６が、プリントデータを受信した時に、動作モード切換信号をモード切換部１５１に出力する。
【００４１】
起動操作検出部１５２は、操作部１１５が備えるボタンが押下されることを検出すると、または、操作部１１５が備えるタッチパネルが指示されることを検出すると、起動操作の入力を検出し、動作モード切換信号をモード切換部１５１に出力する。動作モード切換信号は、起動操作の種類を含む。ここでは、起動操作の種類を、操作部１１５に対する操作の入力であることを示す操作パネル入力検出とする。
【００４２】
起動操作検出部１５２は、原稿検出センサ１２のオンを検出すると、起動操作の入力を検出し、動作モード切換信号をモード切換部１５１に出力する。動作モード切換信号は、起動操作の種類を含む。ここでは、起動操作の種類を起動操作の種類を、原稿台１１に原稿がセットされたことを示す原稿セット検出とする。
【００４３】
起動操作検出部１５２は、開閉センサ１３のオンを検出すると、起動操作の入力を検出し、動作モード切換信号をモード切換部１５１に出力する。動作モード切換信号は、起動操作の種類を含む。ここでは、起動操作の種類をＡＤＦが閉状態から開状態となったことを示すＡＤＦ開検出とする。
【００４４】
起動操作検出部１５２は、扉開閉センサ３６のオンを検出すると、起動操作の入力を検出し、動作モード切換信号をモード切換部１５１に出力する。動作モード切換信号は、起動操作の種類を含む。ここでは、起動操作の種類を前扉４９が開状態となったことを示す前扉開放検出とする。
【００４５】
起動操作検出部１５２は、ファクシミリ部６０がファクシミリデータを受信したことを検出すると、起動操作の入力を検出し、動作モード切換信号をモード切換部１５１に出力する。動作モード切換信号は、起動操作の種類を含む。ここでは、起動操作の種類をファクシミリ部６０がファクシミリデータを受信したことを示すファクシミリ受信要求検出とする。
【００４６】
起動操作検出部１５２は、データ通信制御部１１６が、プリントデータを受信したことを検出すると、起動操作の入力を検出し、動作モード切換信号をモード切換部１５１に出力する。動作モード切換信号は、起動操作の種類を含む。ここでは、起動操作の種類をデータ通信制御部１１６が、プリントデータを受信したことを示すプリント要求検出とする。
【００４７】
モード切換部１５１は、動作モードを切り換える際に、駆動制御部１５３にモード切換信号を出力する。モード切換信号は、動作モードをスリープモードに切り換えるためのモード切換信号と、動作モードを通常動作モードに切り換えるためのモード切換信号を含む。動作モードを通常動作モードに切り換えるためのモード切換信号は、起動操作の種類を含む。
【００４８】
駆動制御部１５３は、モード切換部１５１からの指示に従って、第１〜第３電源制御部１２１，１２２，１２３それぞれを制御する。第１電源制御部１２１は、スキャン用ＨＤＤ８１に電力を供給し、第２電源制御部１２２は、プリント用ＨＤＤ８２に電力を供給し、第３電源制御部１２３は、ファクシミリ用ＨＤＤ８３に電力を供給する。駆動制御部１５３は、モード切換部１５１から動作モードをスリープモードに切り換えるためのモード切換信号が入力されると、第１〜第３電源制御部１２１，１２２，１２３に対して、スキャン用ＨＤＤ８１、プリント用ＨＤＤ８２およびファクシミリ用ＨＤＤ８３の駆動モータを停止させる。これにより、スキャン用ＨＤＤ８１、プリント用ＨＤＤ８２およびファクシミリ用ＨＤＤ８３の消費電力が低減する。
【００４９】
駆動制御部１５３は、モード切換部１５１から動作モードを通常動作モードに切り換えるためのモード切換信号が入力されると、ＲＯＭ１１３に予め記憶された起動順序テーブルを参照して、モード切換信号に含まれる起動操作の種類に従って、スキャン用ＨＤＤ８１、プリント用ＨＤＤ８２およびファクシミリ用ＨＤＤ８３を通常動作モードにする順番を決定し、第１〜第３電源制御部１２１，１２２，１２３に対して、異なるタイミングで決定した順番でスキャン用ＨＤＤ８１、プリント用ＨＤＤ８２およびファクシミリ用ＨＤＤ８３に電力を供給させ、スキャン用ＨＤＤ８１、プリント用ＨＤＤ８２およびファクシミリ用ＨＤＤ８３を起動させる。モード切換部１５１が、通常モードに切り換えるのは、ＭＦＰ１００に電源が投入された時、および、モード切換部１５１がスリープモードから通常モードに動作モードを切り換えた時と、を含む。異なるタイミングは、突入電力を供給する期間が重ならないように調整したタイミングである。
【００５０】
図５は、起動順序テーブルの一例を示す図である。図５を参照して、起動順序テーブルは、スリープ解除条件毎に、第１番目〜第３番目に起動するＨＤＤを定義する。スリーブ解除条件は、モード切換部１５１が出力するモード切換信号に含まれる起動操作の種類である。スリープ解除条件が、操作パネル入力検出の場合、原稿セット検出の場合または、ＡＤＦ開検出の場合は、スキャン用ＨＤＤ８１が第１番目に起動するＨＤＤとして定義される。スリープ解除条件が操作パネル入力検出、原稿セット検出またはＡＤＦ開検出の場合は、スキャン機能またはコピー機能を能動化させる操作が入力される確率が高いため、スキャン機能またはコピー機能が能動化されて入力される画像データを記憶するためのスキャン用ＨＤＤ８１を最初に起動することにより、ユーザの待ち時間を短くすることができる。
【００５１】
スリープ解除条件が、前扉開放検出の場合またはプリント要求検出の場合は、プリント用ＨＤＤ８２が第１番目に起動するＨＤＤとして定義される。前扉４９の開放が検出される場合は、プリント機能を能動化させる操作が入力される確率が高く、プリントデータの受信を検出した場合は、プリント機能が能動化されるため、プリント機能が能動化されて入力される画像データを記憶するためのプリント用ＨＤＤ８２を最初に起動することにより、ユーザの待ち時間を短くすることができる。
【００５２】
スリープ解除条件が、ファクシミリ受信要求検出の場合は、ファクシミリ用ＨＤＤ８３が第１番目に起動するＨＤＤとして定義される。ファクシミリデータを受信した場合は、ファクシミリ機能が能動化されるので、ファクシミリデータとしての画像データを記憶するためのファクシミリ用ＨＤＤ８３を最初に起動することにより、ユーザの待ち時間を短くすることができる。
【００５３】
図６は、ＨＤＤ駆動制御処理の流れの一例を示すフローチャートである。ＨＤＤ駆動制御処理は、ＣＰＵ１１１が、ＭＦＰ１００に主電源が投入された後、ＲＯＭ１１３に記憶されたＨＤＤ駆動制御プログラムを実行することにより、ＣＰＵ１１１が実行する処理である。ＣＰＵ１１１は、スキャン用ＨＤＤ８１、プリント用ＨＤＤ８２およびファクシミリ用ＨＤＤ８３すべてを起動するために、電源投入時ＨＤＤ起動処理を実行する（ステップＳ１００）。そして、新規ジョブを受け付けたか否かを判断する（ステップＳ１０１）。新規ジョブを受け付けたならば、処理をステップＳ１０２に進め、そうでなければ処理をステップＳ１０４に進める。ステップＳ１０２においては、ステップＳ１０１において受け付けたジョブ対応する新しいレコードを、ＲＡＭ１１２に記憶されたジョブ管理テーブルに追加し、記憶する。そして、処理をステップＳ１０３に進める。
【００５４】
ステップＳ１０３においては、実行中あるいは実行待ちジョブが存在するかどうか否かを判断する。ＲＡＭ１１２に記憶されたジョブ管理テーブルにレコードが存在するか否かによって判断し、ジョブ管理テーブルにレコードが存在すれば実行中あるいは実行待ちジョブが存在すると判断する。実行中ジョブまたは実行待ちジョブが存在しなければ（ステップＳ１０３で「ＮＯ」）、処理をステップＳ１０４に進めるが、そうでなければ処理をステップＳ１０１に戻す。
【００５５】
ステップＳ１０４においては、スリープ移行条件を満たしているか否かを判断する。スリープ移行条件を満たしていれば処理をステップＳ１０５に進め、そうでなければ処理をステップＳ１０１に戻す。スリープ移行条件は、待機状態が待機時間継続した場合に成立する。待機状態は、ジョブが実行されない状態またはユーザによる操作が入力されない状態である。ここでは、待機時間を３０分としている。また、スリープ移行条件は、副電源スイッチが押されたことを検出した場合にも成立する。副電源スイッチは、ユーザがＭＦＰ１００をスリープモードに切り換える指示を入力させるためのスイッチである。待機時間はＣＰＵ１１１がジョブ管理テーブルから最終レコードを削除してから現在までの時間差で算出される。
【００５６】
ステップＳ１０５においては、省電力制御のためにスキャン用ＨＤＤ８１、プリント用ＨＤＤ８２およびファクシミリ用ＨＤＤ８３すべてのモードの駆動を停止させるスリープ時ＨＤＤ停止処理を実行する。次のステップＳ１０６においては、起動操作検出処理を実行する。ＨＤＤ停止処理および起動操作検出処理については、後述する。ステップＳ１０７においては、起動操作検出処理を実行した結果、スリープ解除条件を満たしているか否かを判断する。スリープ解除条件を満たしていれば処理をステップＳ１０８に進めるが、そうでなければ処理をステップＳ１０６に戻し、スリープ解除条件が満たされるまで待機する。スリープ解除条件はＲＡＭ１１２の中の特定領域を参照することによって、判断する。ステップＳ１０８においては、スリープ解除時ＨＤＤ再起動処理を実行し、処理をステップＳ１０１に戻す。
【００５７】
図７は、電源投入時ＨＤＤ起動処理の流れの一例を示すフローチャートである。電源投入時ＨＤＤ起動処理は、図６のステップＳ１００で実行される処理である。図７を参照して、まず、スキャン用ＨＤＤ８１を起動するためのスキャン用ＨＤＤ起動処理を実行する（ステップＳ１１０）。電源投入時にスキャン用ＨＤＤ８１を最初に起動するのは、一般的に、ＭＦＰ１００に電源が投入された後に、画像読取部２０は画像形成部３０よりも速く起動するからである。次に、プリント用ＨＤＤ８２を起動するためにプリント用ＨＤＤ起動処理を実行する（ステップＳ１１１）。最後に、ファクシミリ用ＨＤＤ８３を起動するためにファクシミリ用ＨＤＤ起動処理を実行する（ステップＳ１１２）。
【００５８】
図８は、ＨＤＤ起動処理の流れの一例を示すフローチャートである。このＨＤＤ起動処理は、図７のステップＳ１１０、ステップＳ１１１およびステップＳ１１２において、それぞれ実行される処理である。図７のステップＳ１１０、ステップＳ１１１およびステップＳ１１２は、スキャン用ＨＤＤ８１、プリント用ＨＤＤ８２およびファクシミリ用ＨＤＤ８３をそれぞれ起動する処理であり、起動するＨＤＤが異なるのみで、実行する処理は同じである。ここでは、スキャン用ＨＤＤ８１を起動する例を説明する。図８を参照して、第１電源制御部１２１にスキャン用ＨＤＤ８１に電源を投入し、通電を開始させる（ステップＳ１２０）。ＣＰＵ１１１は、予め定められた時間が経過したか否かを判断する（ステップＳ１２１）。予め定められた時間が経過するまで待機状態となり（ステップＳ１２１でＮＯ）、予め定められた時間が経過したならば処理をステップＳ１２２に進める。予め定められた期間は、スキャン用ＨＤＤ８１が通常モードで駆動する状態に移行するまでの時間（スピンアップ時間）であり、スキャン用ＨＤＤ８１によって定まる。したがって、プリント用ＨＤＤ８２またはファクシミリ用ＨＤＤ８３を起動する場合には、プリント用ＨＤＤ８２またはファクシミリ用ＨＤＤ８３により定まる期間だけ待機することになる。
【００５９】
次のステップＳ１２２においては、スキャン用ＨＤＤ８１のステータスフラグ情報を取得する。スキャン用ＨＤＤ８１は、電源が投入されると、モータを駆動し、その後、データの書込みおよび読出しが可能な状態になると、ステータスフラグ情報にレディビットをセットする。ＣＰＵ１１１は、このスキャン用ＨＤＤ８１のステータスフラグ情報を取得する。そして、取得したステータスフラグ情報に基づいて、スキャン用ＨＤＤ８１が起動したか否かを判断する（ステップＳ１２３）。ステータスフラグ情報にレディビットがセットされていれば、スキャン用ＨＤＤ８１が起動したと判断する。スキャン用ＨＤＤ８１が起動したならば処理を電源投入時ＨＤＤ起動処理に戻し、そうでなければ処理をステップＳ１２１に戻す。
【００６０】
図９は、スリープ時ＨＤＤ停止処理の流れの一例を示すフローチャートである。スリープ時ＨＤＤ停止処理は、図６のステップＳ１０５において実行される処理である。図９を参照して、スキャン用ＨＤＤ８１を停止させ（ステップＳ１３０）、プリント用ＨＤＤ８２を停止させ（ステップＳ１３１）、ファクシミリ用ＨＤＤ８３を停止させ（ステップＳ１３２）、処理をＨＤＤ駆動制御処理に戻す。
【００６１】
図１０は、ＨＤＤ停止処理の流れの一例を示す第１のフローチャートである。ＨＤＤ停止処理は、図９のステップＳ１３０、ステップＳ１３１およびステップＳ１３２において、それぞれ実行される処理である。図９のステップＳ１３０、ステップＳ１３１およびステップＳ１３２は、スキャン用ＨＤＤ８１、プリント用ＨＤＤ８２およびファクシミリ用ＨＤＤ８３をそれぞれ停止させる処理であり、停止させるＨＤＤが異なるのみで、実行する処理は同じである。ここでは、スキャン用ＨＤＤ８１を停止させる例を説明する。図１０を参照して、第１電源制御部１２１にスキャン用ＨＤＤ８１をスリープ状態にさせる（ステップＳ１４０）。そして、予め定められた時間経過したか否かを判断する（ステップＳ１４１）。予め定められた時間経過するまで待機状態となり（ステップＳ１４１でＮＯ）、予め定められた時間経過したならば停止処理が完了したものとして処理をＨＤＤ停止処理に戻す。予め定められた期間は、スキャン用ＨＤＤ８１が通常モードで駆動する状態からスリープモードで駆動する状態に移行するまでの時間であり、スキャン用ＨＤＤ８１によって定まる。したがって、プリント用ＨＤＤ８２またはファクシミリ用ＨＤＤ８３を停止させる場合には、プリント用ＨＤＤ８２またはファクシミリ用ＨＤＤ８３により定まる期間だけ待機することになる。
【００６２】
図１１は、起動操作検出処理の流れの一例を示すフローチャートである。起動操作検出処理は、図６のステップＳ１０６において実行される処理である。図１１を参照して、ＣＰＵ１１１は、操作パネル９に操作が入力されたか否かを判断する。具体的には、操作部１１５が備えるタッチパネルがタッチされたことの検出、あるいは操作部１１５が備える複数のキーのいずれかが押下されたことを検出したか否かを判断する。それらを検出したならば処理をステップＳ１７２に進め、そうでなければ処理をステップＳ１６１に進める。ステップＳ１７２においては、ＲＡＭ１１２にスリープ解除条件として予め確保された検出状態領域に「操作パネル入力検出」を書き込み、処理をＨＤＤ駆動制御処理に戻す。
【００６３】
ステップＳ１６１においては、原稿セットを検出したか否かを判断する。原稿検出センサ１２がオンであれば処理をステップＳ１７１に進め、そうでなければ処理をステップＳ１６２に進める。ステップＳ１７１においては、ＲＡＭ１１２にスリープ解除条件として予め確保された検出状態領域に「原稿セット検出」を書き込み、処理をＨＤＤ駆動制御処理に戻す。
【００６４】
ステップＳ１６２においては、ＡＤＦが開状態となったか否かを判断する。開閉センサ１３がオンであれば処理をステップＳ１７０に進め、そうでなければ処理をステップＳ１６３に進める。ステップＳ１７０においては、ＲＡＭ１１２にスリープ解除条件として予め確保された検出状態領域に「ＡＤＦ開検出」を書き込み、処理をＨＤＤ駆動制御処理に戻す。
【００６５】
ステップＳ１６３においては、前扉４９が開状態となったか否かを判断する。扉開閉センサ３６がオンであれば処理をステップＳ１６９に進め、そうでなければ処理をステップＳ１６４に進める。ステップＳ１６９においては、ＲＡＭ１１２にスリープ解除条件として予め確保された検出状態領域に「前扉開放検出」を書き込み、処理をＨＤＤ駆動制御処理に戻す。
【００６６】
ステップＳ１６４においては、ファクシミリ受信要求を受け付けたか否かを判断する。ファクシミリ部６０がファクシミリデータを受信したならば処理をステップＳ１６８に進め、そうでなければ処理をステップＳ１６５に進める。ステップＳ１６８においては、ＲＡＭ１１２にスリープ解除条件として予め確保された検出状態領域に「ファクシミリ受信要求検出」を書き込み、処理をＨＤＤ駆動制御処理に戻す。
【００６７】
ステップＳ１６５においては、プリント要求を受け付けたか否かを判断する。データ通信制御部１１６が、ＬＡＮ端子１１８に接続されたＰＣ３，３Ａ，３Ｂ，３Ｃからプリントデータを受信した場合、または、ＵＳＢ端子１１９に接続されたデジタルカメラ４、デジタルビデオカメラ５または携帯情報端末６からプリントデータを受信した場合、処理をステップＳ１６７に進め、そうでなければ処理をステップＳ１６６に進める。ステップＳ１６７においては、ＲＡＭ１１２にスリープ解除条件として予め確保された検出状態領域に「プリント要求検出」を書き込み、処理をＨＤＤ駆動制御処理に戻す。一方、ステップＳ１６６においては、ＲＡＭ１１２にスリープ解除条件として予め確保された検出状態領域に「解除要求なし」を書き込み、処理をＨＤＤ駆動制御処理に戻す。
【００６８】
図１２は、スリープ解除時ＨＤＤ再起動処理の流れの一例を示すフローチャートである。スリープ解除時ＨＤＤ再起動処理は、図６のステップＳ１０８で実行される処理である。図１２を参照して、ＣＰＵ１１１は、ＲＡＭ１１２に予め確保された検出状態領域に記憶されているスリープ解除条件を読み出し、ＲＯＭ１１３に記憶された起動順序テーブルを検索する（ステップＳ１８０）。これにより、スキャン用ＨＤＤ８１、プリント用ＨＤＤ８２、ファクシミリ用ＨＤＤ８３それぞれについて、スリープ解除条件に従って起動順序が決定される。ここでは、ＲＡＭ１１２に予め確保された検出状態領域に、操作パネル入力検出のスリープ解除条件が記憶されている例を説明する。図５に示した起動順序テーブルは、スリープ解除条件が操作パネル入力検出に対して、第１番目に起動するＨＤＤにスキャン用ＨＤＤ８１を定義し、第２番目に起動するＨＤＤにプリント用ＨＤＤ８２を定義し、第３番目に起動するＨＤＤにファクシミリ用ＨＤＤ８３を定義する。
【００６９】
ステップＳ１８１においては、第１番目に起動することが決定されたスキャン用ＨＤＤ８１を再起動し、処理をステップＳ１８２に進める。ステップＳ１８２においては、第２番目に起動することが決定されたプリント用ＨＤＤ８２を再起動し、処理をステップＳ１８３に進める。ステップＳ１８３においては、第３番目に起動することが決定されたファクシミリ用ＨＤＤ８３を再起動し、処理をＨＤＤ駆動制御処理に戻す。
【００７０】
図１３は、ＨＤＤ再起動処理の流れの一例を示すフローチャートである。このＨＤＤ再起動処理は、図１２のステップＳ１８１、ステップＳ１８２およびステップＳ１８３において、それぞれ実行される処理である。図１２のステップＳ１８１、ステップＳ１８２およびステップＳ１８３は、スキャン用ＨＤＤ８１、プリント用ＨＤＤ８２およびファクシミリ用ＨＤＤ８３をそれぞれ再起動する処理であり、再起動するＨＤＤが異なるのみで、実行する処理は同じである。ここでは、スキャン用ＨＤＤ８１を起動する例を説明する。図１３を参照して、第１電源制御部１２１にスキャン用ＨＤＤ８１を初期化させる（ステップＳ１９０）。スキャン用ＨＤＤ８１は、初期化されると、停止している駆動モータを回転させ、通常動作モードでの駆動に復帰する。ＣＰＵ１１１は、予め定められた時間（スピンアップ時間）が経過したか否かを判断する（ステップＳ１９１）。予め定められた時間が経過するまで待機状態となり（ステップＳ１９１でＮＯ）、予め定められた時間が経過したならば処理をステップＳ１９２に進める。予め定められた期間は、スキャン用ＨＤＤ８１が通常動作モードで駆動する状態に移行するまでの時間であり、スキャン用ＨＤＤ８１によって定まる。したがって、プリント用ＨＤＤ８２またはファクシミリ用ＨＤＤ８３を再起動する場合には、プリント用ＨＤＤ８２またはファクシミリ用ＨＤＤ８３により定まる期間だけ待機することになる。
【００７１】
次のステップＳ１９２においては、スキャン用ＨＤＤ８１のステータスフラグ情報を取得する。スキャン用ＨＤＤ８１は、初期化されると、駆動モータを駆動し、その後、データの書込みおよび読出しが可能な状態になると、ステータスフラグ情報にレディビットをセットする。ＣＰＵ１１１は、このスキャン用ＨＤＤ８１のステータスフラグ情報をする。そして、取得したステータスフラグ情報に基づいて、スキャン用ＨＤＤ８１が起動したか否かを判断する（ステップＳ１９３）。ステータスフラグ情報にレディビットがセットされていれば、スキャン用ＨＤＤ８１が再起動したと判断する。スキャン用ＨＤＤ８１が再起動したならば処理をＨＤＤ駆動制御処理に戻し、そうでなければ処理をステップＳ１９１に戻す。
【００７２】
＜変形例＞
上述した実施の形態においては、スキャン用ＨＤＤ８１、プリント用ＨＤＤ８２およびファクシミリ用ＨＤＤ８３をスリープモードに移行させる例を説明したが、スキャン用ＨＤＤ８１、プリント用ＨＤＤ８２およびファクシミリ用ＨＤＤ８３に供給する電力を遮断するようにしてもよい。これにより、ＭＦＰ１００で消費される電力をスリープモードよりもさらに低減することができる。
【００７３】
図１４は、ＨＤＤ停止処理の流れの一例を示す第２のフローチャートである。このＨＤＤ停止処理は、図９のステップＳ１３０、ステップＳ１３１およびステップＳ１３２において、それぞれ実行される処理である。図９のステップＳ１３０、ステップＳ１３１およびステップＳ１３２は、スキャン用ＨＤＤ８１、プリント用ＨＤＤ８２およびファクシミリ用ＨＤＤ８３をそれぞれ停止させる処理であり、停止させるＨＤＤが異なるのみで、実行する処理は同じである。ここでは、スキャン用ＨＤＤ８１を停止させる例を説明する。
【００７４】
図１４を参照して、第１電源制御部１２１にスキャン用ＨＤＤ８１に供給する電源を遮断させる（ステップＳ１５０）。そして、予め定められた時間経過したか否かを判断する（ステップＳ１５１）。予め定められた時間経過するまで待機状態となり（ステップＳ１４１でＮＯ）、予め定められた時間経過したならば停止処理が完了したものとして処理をＨＤＤ停止処理に戻す。予め定められた期間は、スキャン用ＨＤＤ８１が通常モードで駆動する状態から停止状態に移行するまでの時間であり、スキャン用ＨＤＤ８１によって定まる。したがって、プリント用ＨＤＤ８２またはファクシミリ用ＨＤＤ８３を停止状態に移行させる場合には、プリント用ＨＤＤ８２またはファクシミリ用ＨＤＤ８３により定まる期間だけ待機することになる。
【００７５】
変形例におけるＭＦＰ１００においては、図６のステップＳ１０８において、スキャン用ＨＤＤ８１、プリント用ＨＤＤ８２およびファクシミリ用ＨＤＤ８３を再起動する際に、図１３に示したＨＤＤ再起動処理に代えて、図８に示したＨＤＤ起動処理が実行される。
【００７６】
以上説明したように、本実施の形態におけるＭＦＰ１００は、コピー機能、スキャン機能、プリント機能およびファクシミリ送受信機能を備えており、さらに、コピー機能およびスキャン機能に対応するスキャン用ＨＤＤ８１、プリント機能に対応するプリント用ＨＤＤ８２およびファクシミリ送受信機能に対応するファクシミリ用ＨＤＤ８３を備えている。ＭＦＰ１００は、動作モードを通常動作モードとスリープモードとに切り換え可能であり、スリープモードにあるとき、それらの機能のいずれか１つを能動化させるための操作が検出されることに応じて、スキャン用ＨＤＤ８１、プリント用ＨＤＤ８２およびファクシミリＨＤＤ８３のうち最初に起動するＨＤＤを決定し、スキャン用ＨＤＤ８１、プリント用ＨＤＤ８２およびファクシミリＨＤＤ８３を異なるタイミングで順に起動する。このため、スキャン用ＨＤＤ８１、プリント用ＨＤＤ８２およびファクシミリＨＤＤ８３を異なるタイミングで順に起動するので、突入電流を低くすることができ、製造コストを低くすることができる。
【００７７】
また、スキャン用ＨＤＤ８１、プリント用ＨＤＤ８２およびファクシミリＨＤＤ８３のうちコピー機能、スキャン機能、プリント機能およびファクシミリ送受信機能に対応するＨＤＤを最初に起動するＨＤＤに決定するので、ユーザによる操作で能動化される機能に対応する記憶装置が最初に起動され、ユーザの待ち時間を少なくすることができる。
【００７８】
なお、上述した実施の形態においては画像形成装置の一例としてＭＦＰ１００について説明したが、図６〜図１４に示した処理をＭＦＰ１００に実行させるためのＨＤＤ駆動制御方法またはＨＤＤ駆動制御プログラムとして発明を捉えることができるのは言うまでもない。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８０】
【図１】本発明の実施の形態の一つにおける画像形成システムの全体概要を示す図である。
【図２】ＭＦＰの外観を示す斜視図である。
【図３】ＭＦＰの内部構成を示す模式的断面図である。
【図４】ＭＦＰのハード構成の一例を示すブロック図である。
【図５】起動順序テーブルの一例を示す図である。
【図６】ＨＤＤ駆動制御処理の流れの一例を示すフローチャートである。
【図７】電源投入時ＨＤＤ起動処理の流れの一例を示すフローチャートである。
【図８】ＨＤＤ起動処理の流れの一例を示すフローチャートである。
【図９】スリープ時ＨＤＤ停止処理の流れの一例を示すフローチャートである。
【図１０】ＨＤＤ停止処理の流れの一例を示す第１のフローチャートである。
【図１１】起動操作検出処理の流れの一例を示すフローチャートである。
【図１２】スリープ解除時ＨＤＤ再起動処理の流れの一例を示すフローチャートである。
【図１３】ＨＤＤ再起動処理の流れの一例を示すフローチャートである。
【図１４】ＨＤＤ停止処理の流れの一例を示す第２のフローチャートである。
【符号の説明】
【００８１】
１  画像形成システム、２  ネットワーク、３，３Ａ，３Ｂ，３Ｃ  コンピュータ、４  デジタルカメラ、５  デジタルビデオカメラ、６  携帯情報端末、９  操作パネル、１１  原稿台、１２  原稿検出センサ、１３  開閉センサ、２０  画像読取部、２１  原稿ガラス、２２  スライダ、２３  露光ランプ、２４  ミラー、２５，２５Ａ  反射ミラー、２６  レンズ、２７  スキャナモータ、２８  ＣＣＤセンサ、３０  画像形成部、３１  無端ベルト、３３Ａ，３３Ｂ  ローラ、３３Ｃ  駆動ローラ、３６  扉開閉センサ、３７  転写ローラ、３８  定着ローラ対、３９  排紙トレイ、４０Ｙ，４０Ｍ，４０Ｃ，４０Ｋ  画像形成ユニット、４１Ｙ，４１Ｍ，４１Ｃ，４１Ｋ  露光ヘッド、４２Ｙ，４２Ｍ，４２Ｃ，４２Ｋ  帯電チャージャ、４３Ｙ，４３Ｍ，４３Ｃ，４３Ｋ  感光体ドラム、４４Ｙ，４４Ｍ，４４Ｃ，４４Ｋ  現像機、４５Ｙ，４５Ｍ，４５Ｃ，４５Ｋ  転写チャージャ、４９  前扉、５０  給紙部、５１，５１Ａ，５１Ｂ  給紙カセット、５２，５２Ａ，５２Ｂ  給紙ローラ、５３  搬送ローラ対、５４  タイミングローラ、６０  ファクシミリ部、６１  通信制御部、８１  スキャン用ＨＤＤ、８２  プリント用ＨＤＤ、８３  ファクシミリ用ＨＤＤ、１０１  メイン回路、１１１  ＣＰＵ、１１２  ＲＡＭ、１１３  ＲＯＭ、１１４  表示部、１１５  操作部、１１６  データ通信制御部、１１８  ＬＡＮ端子、１１９  ＵＳＢ端子、１１９Ａ  ＵＳＢメモリ、１２１  第１電源制御部、１２２  第２電源制御部、１２３  第３電源制御部、１５１  モード切換部、１５２  起動操作検出部、１５３  駆動制御部。
【図１】
2008141343.tif 000003
【図２】
2008141343.tif 000004
【図３】
2008141343.tif 000005
【図４】
2008141343.tif 000006
【図５】
2008141343.tif 000007
【図６】
2008141343.tif 000008
【図７】
2008141343.tif 000009
【図８】
2008141343.tif 000010
【図９】
2008141343.tif 000011
【図１０】
2008141343.tif 000012
【図１１】
2008141343.tif 000013
【図１２】
2008141343.tif 000014
【図１３】
2008141343.tif 000015
【図１４】
2008141343.tif 000016